(57)【要約】    【課題】      蓄積媒体に蓄積されたコンテンツ及び放送または通信により受信したコンテンツの双方の再生を可能としつつ、かかる双方のコンテンツを中断することなく再生すること。    【解決手段】  コンテンツ受信部１０７でコンテンツサーバ１０１から放送または通信によりコンテンツを受信し、再生制御部１０８で蓄積部１０３に蓄積された蓄積コンテンツとコンテンツ受信部１０７で受信したコンテンツとを、蓄積コンテンツの再生状況及び放送や通信によるコンテンツの受信状況の少なくとも一方に基づいて切り替えて再生部１０９で再生する。  【選択図】      図１
2004194302.tif 000002
【特許請求の範囲】
【請求項１】
蓄積コンテンツを蓄積する蓄積部と、コンテンツを放送または通信により受信するコンテンツ受信部と、前記蓄積コンテンツまたは前記コンテンツ受信部が受信したコンテンツを再生する再生部と、前記蓄積コンテンツの再生状況及び前記コンテンツ受信部によるコンテンツの受信状況の少なくとも一方に基づいて前記蓄積コンテンツと前記コンテンツ受信部が受信したコンテンツとを切り替えて前記再生部に再生させる再生制御部と、を具備することを特徴とする端末装置。
【請求項２】
所定の地域内の位置に関連するコンテンツのアドレスと前記位置との組を少なくとも１つ以上格納したコンテンツリストを管理するコンテンツリスト管理部と、現在の位置情報を検出する位置検出部と、前記現在の位置情報に基づき前記コンテンツリストから受信すべきコンテンツを決定する受信コンテンツ決定部とをさらに具備し、前記コンテンツ受信部は、前記受信コンテンツ決定部が決定した現在の位置に関連するコンテンツを受信し、前記再生制御部は、当該コンテンツと前記蓄積コンテンツとを切り替えて前記再生部に再生させることを特徴とする請求項１記載の端末装置。
【請求項３】
前記位置検出部は、装置本体の移動方向若しくは移動速度を検出し、前記受信コンテンツ決定部は、前記再生部で再生中のコンテンツの再生時間から前記コンテンツ受信部が受信するコンテンツの再生時刻を予測し、前記予測した再生時刻における装置本体の移動先の位置に関連するコンテンツを受信すべきコンテンツとして決定することを特徴とする請求項２記載の端末装置。
【請求項４】
利用者の嗜好を示す属性情報を登録し前記受信コンテンツ決定部に出力する属性出力部をさらに具備し、前記受信コンテンツ決定部は、前記現在の位置情報及び前記属性情報に基づき前記コンテンツリストから受信すべきコンテンツを決定することを特徴とする請求項２又は請求項３記載の端末装置。
【請求項５】
前記蓄積部の蓄積コンテンツに含まれる情報の一部を前記属性情報として前記属性出力部に登録することを特徴とする請求項４記載の端末装置。
【請求項６】
前記コンテンツ受信部が受信したコンテンツを蓄積する受信コンテンツ蓄積部をさらに具備し、前記再生制御部は、前記蓄積コンテンツの再生状況、前記コンテンツ受信部のコンテンツによる受信状況、前記受信コンテンツ蓄積部のコンテンツの蓄積状況の少なくとも１つに基づいて前記蓄積コンテンツと、前記コンテンツ受信部が受信したコンテンツと、前記受信コンテンツ蓄積部のコンテンツとを切り替えて前記再生部に再生させることを特徴とする請求項１から請求項５のいずれかに記載の端末装置。
【請求項７】
利用者の操作入力に応じて前記受信コンテンツ蓄積部のコンテンツの保存又は削除を指示する保存指示部をさらに具備することを特徴とする請求項６記載の端末装置。
【請求項８】
前記保存指示部から保存指示があったコンテンツに含まれる情報の一部を前記属性情報として前記属性出力部に登録することを特徴とする請求項７記載の端末装置。
【請求項９】
コンテンツを放送または通信により受信するステップと、前記受信したコンテンツと、コンテンツを蓄積する蓄積部の蓄積コンテンツとを前記蓄積コンテンツの再生状況及び前記受信したコンテンツの受信状況の少なくとも一方に基づいて切り替えて再生するステップと、を具備することを特徴とする情報再生方法。
【請求項１０】
現在の位置情報を検出するステップと、前記現在の位置情報に基づき所定の地域内の位置に関連するコンテンツのアドレスと前記位置との組を少なくとも１つ以上格納したコンテンツリストから受信すべきコンテンツを決定するステップとをさらに具備し、前記決定した現在の位置に関連するコンテンツを受信し、当該コンテンツと前記蓄積コンテンツとを切り替えて再生することを特徴とする請求項９記載の情報再生方法。
【請求項１１】
現在の位置情報を検出する際、装置本体の移動方向若しくは移動速度を検出し、再生中の前記蓄積部のコンテンツの再生時間から受信するコンテンツの再生時刻を予測し、前記予測した再生時刻における装置本体の移動先の位置に関連するコンテンツを受信すべきコンテンツとして決定することを特徴とする請求項１０記載の情報再生方法。
【請求項１２】
利用者の嗜好を示す属性情報を登録するステップをさらに具備し、受信すべきコンテンツを決定する際、前記現在の位置情報及び前記属性情報に基づき前記コンテンツリストから受信すべきコンテンツを決定することを特徴とする請求項１０又は請求項１１記載の情報再生方法。
【請求項１３】
前記蓄積部の蓄積コンテンツに含まれる情報の一部を前記属性情報として登録することを特徴とする請求項１２記載の情報再生方法。
【請求項１４】
前記受信したコンテンツを受信コンテンツ蓄積部に蓄積するステップをさらに具備し、前記蓄積コンテンツの再生状況、放送または通信によるコンテンツの受信状況、前記受信コンテンツ蓄積部のコンテンツの蓄積状況の少なくとも１つに基づいて前記受信したコンテンツと、前記蓄積コンテンツと、前記受信コンテンツ蓄積部のコンテンツとを切り替えて再生することを特徴とする請求項９から請求項１３のいずれかに記載の情報再生方法。
【請求項１５】
利用者の操作入力に応じて前記受信コンテンツ蓄積部のコンテンツの保存又は削除を指示するステップをさらに具備することを特徴とする請求項１４記載の情報再生方法。
【請求項１６】
利用者から保存指示があったコンテンツに含まれる情報の一部を前記属性情報として登録することを特徴とする請求項１５記載の情報再生方法。
【発明の詳細な説明】
【技術分野】
【０００１】
本発明は、放送または通信により受信したコンテンツを再生する端末装置及び情報再生方法に関する。
【背景技術】
【０００２】
従来、属性情報に応じて異なるコンテンツを再生する端末装置が開発されている（例えば、特許文献１参照）。この端末装置では、放送されるコマーシャルの内容を属性情報として管理し、視聴者の嗜好に合うコマーシャルを蓄積しておく。そして、テレビ番組を視聴する際、コマーシャルの放送部分を視聴者の嗜好に合う属性を持つコマーシャルに差し替えて再生する。
【特許文献１】特開２００１−１１１９２１号公報
【発明の開示】
【発明が解決しようとする課題】
【０００３】
しかしながら、上述のような端末装置では、放送されるテレビ番組を受信して再生している場合に、蓄積しておいた利用者の嗜好に合うコマーシャル等の情報を差し替えて再生するものである。このため、コンパクトディスク（以下、「ＣＤ」という）やハードディスク、ＤＶＤ及びメモリなどの蓄積媒体に蓄積された音楽や映像などのコンテンツを再生している場合には、そのコンテンツのみを再生することができ、そのコンテンツ以外の情報は再生することができない。したがって、利用者は、蓄積媒体に蓄積されたコンテンツを視聴している場合にはこのコンテンツ以外の情報を視聴することができないという問題が生ずる。
【０００４】
また、上述のような端末装置を移動端末として用いた場合、テレビ番組の受信エリアやその電波状況によってコマーシャル等の情報を受信できない場合が生じ、番組を再生できない期間が発生するという問題が生ずる。
【０００５】
本発明は、かかる実情に鑑みて為されたものであり、蓄積媒体に蓄積されたコンテンツ及び放送または通信により受信したコンテンツの双方の再生を可能としつつ、かかる双方のコンテンツを中断することなく再生することができる端末装置及び情報再生方法を提供することを目的とする。
【課題を解決するための手段】
【０００６】
この課題を解決するために本発明は、端末装置が放送または通信によりコンテンツを受信し、蓄積媒体に蓄積された蓄積コンテンツとこの受信したコンテンツとを、蓄積コンテンツの再生状況及び放送や通信によるコンテンツの受信状況の少なくとも一方に基づいて切り替えて再生するように構成したものである。
【０００７】
これにより、蓄積コンテンツの視聴時であっても端末装置が受信したコンテンツを参照することが可能となるため、利用者は、蓄積コンテンツのみならず、端末装置が受信したコンテンツ、例えば端末装置が存在する地域のコマーシャルなどのコンテンツも同時に視聴することができる。また、端末装置がコンテンツを受信できない場合は蓄積媒体の蓄積コンテンツを再生することができる。
【発明の効果】
【０００８】
本発明によれば、蓄積媒体に蓄積されたコンテンツ及び放送または通信により受信したコンテンツの双方の再生を可能としつつ、かかる双方のコンテンツを中断することなく再生する切り替えことができる。
【発明を実施するための最良の形態】
【０００９】
本発明の第１の態様に係る端末装置は、蓄積コンテンツを蓄積する蓄積部と、コンテンツを放送または通信により受信するコンテンツ受信部と、前記蓄積コンテンツまたは前記コンテンツ受信部が受信したコンテンツを再生する再生部と、前記蓄積コンテンツの再生状況及び前記コンテンツ受信部のコンテンツの受信状況の少なくとも一方に基づいて前記蓄積コンテンツと前記コンテンツ受信部が受信したコンテンツとを切り替えて前記再生部に再生させる再生制御部と、を具備する構成を採る。
【００１０】
この構成によれば、蓄積部に蓄積された蓄積コンテンツとコンテンツ受信部が受信したコンテンツとが切り替えて再生されるので、利用者は、蓄積コンテンツのみならず、端末装置が受信したコンテンツも同時に視聴することができる。この結果、蓄積コンテンツを視聴する合間に、本端末装置が受信したコンテンツをも視聴することができる。
【００１１】
また、蓄積コンテンツの再生状況及びコンテンツ受信部のコンテンツの受信状況の少なくとも一方に基づいて、蓄積コンテンツとコンテンツ受信部が受信したコンテンツとが切り替えて再生されるので、コンテンツの再生が中断される事態を回避することができる。
【００１２】
本発明の第２の態様は、第１の態様に係る端末装置において、所定の地域内の位置に関連するコンテンツのアドレスと前記位置との組を少なくとも１つ以上格納したコンテンツリストを管理するコンテンツリスト管理部と、現在の位置情報を検出する位置検出部と、前記現在の位置情報に基づき前記コンテンツリストから受信すべきコンテンツを決定する受信コンテンツ決定部とをさらに具備し、前記コンテンツ受信部は、前記受信コンテンツ決定部が決定した現在の位置に関連するコンテンツを受信し、前記再生制御部は、当該コンテンツと前記蓄積コンテンツとを切り替えて前記再生部に再生させる構成を採る。
【００１３】
この構成によれば、利用者は蓄積コンテンツを視聴する合間に、本端末の現在位置に関連するコンテンツをも視聴することができる。
【００１４】
本発明の第３の態様は、第２の態様に係る端末装置において、前記位置検出部は、装置本体の移動方向若しくは移動速度を検出し、前記受信コンテンツ決定部は、前記再生部で再生中のコンテンツの再生時間から前記コンテンツ受信部が受信するコンテンツの再生時刻を予測し、前記予測した再生時刻における装置本体の移動先の位置に関連するコンテンツを受信すべきコンテンツとして決定する構成を採る。
【００１５】
この構成によれば、端末装置の移動方向等及び現在再生中のコンテンツの再生時間から受信されるコンテンツの再生時刻が予測され、この再生時刻における移動先の位置に関連するコンテンツが受信される。このため、本端末装置が移動中であっても、利用者は、その移動先の位置に関連するコンテンツを蓄積部に蓄積された蓄積コンテンツの合間に適切に視聴することができる。
【００１６】
本発明の第４の態様は、第２又は第３の態様に係る端末装置において、利用者の嗜好を示す属性情報を登録し前記受信コンテンツ決定部に出力する属性出力部をさらに具備し、前記受信コンテンツ決定部は、前記現在の位置情報及び前記属性情報に基づき前記コンテンツリストから受信すべきコンテンツを決定する構成を採る。
【００１７】
この構成によれば、利用者の嗜好を示す属性情報及び本端末装置の現在の位置情報に基づき受信すべきコンテンツが決定される。これにより、利用者は、蓄積部に蓄積された蓄積コンテンツを視聴しながら、現在位置に関連するコンテンツの中から自分の嗜好に合ったコンテンツを視聴することができる。
【００１８】
本発明の第５の態様は、第４の態様に係る端末装置において、前記蓄積部の蓄積コンテンツに含まれる情報の一部を前記属性情報として前記属性出力部に登録する構成を採る。
【００１９】
この構成によれば、蓄積部に蓄積された蓄積コンテンツに含まれる情報の一部が属性情報として登録されるので、蓄積コンテンツに含まれる情報に関連するコンテンツが受信すべきコンテンツとして決定される。このため、利用者は、蓄積コンテンツの情報に関連するコンテンツを受信し、この受信したコンテンツを蓄積コンテンツと切り替えて視聴することができる。
【００２０】
本発明の第６の態様は、第１から第５のいずれかの態様に係る端末装置において、前記コンテンツ受信部が受信したコンテンツを蓄積する受信コンテンツ蓄積部をさらに具備し、前記再生制御部は、前記蓄積コンテンツの再生状況、前記コンテンツ受信部のコンテンツの受信状況、前記受信コンテンツ蓄積部のコンテンツの蓄積状況の少なくとも１つに基づいて前記蓄積コンテンツと、前記コンテンツ受信部が受信したコンテンツと、前記受信コンテンツ蓄積部のコンテンツとを切り替えて前記再生部に再生させる構成を採る。
【００２１】
この構成によれば、受信コンテンツが蓄積される。これにより、利用者はいったん蓄積した受信コンテンツを蓄積コンテンツの再生の合間にタイミングよく視聴したり、コンテンツが受信できない状況でも蓄積した受信コンテンツを視聴したりすることができる。
【００２２】
本発明の第７の態様は、第６の態様に係る端末装置において、利用者の操作入力に応じて前記受信コンテンツ蓄積部のコンテンツの保存又は削除を指示する保存指示部をさらに具備する構成を採る。
【００２３】
この構成によれば、利用者の操作入力に応じて受信コンテンツ蓄積部のコンテンツの保存又は削除が決定されるので、利用者は、蓄積部に蓄積された蓄積コンテンツと切り替えて再生されたコンテンツの中から必要な情報のみを保存しておくことができる。
【００２４】
本発明の第８の態様は、第７の態様に係る端末装置において、前記保存指示部から保存指示があったコンテンツに含まれる情報の一部を前記属性情報として前記属性出力部に登録する構成を採る。
【００２５】
この構成によれば、保存指示があったコンテンツに含まれる情報の一部が属性情報として登録されるので、保存指示のあったコンテンツに含まれる情報に関連するコンテンツが受信すべきコンテンツとして決定される。このため、利用者は、保存指示をしたコンテンツの情報に関連するコンテンツを受信し、この受信したコンテンツを蓄積部に蓄積された蓄積コンテンツと切り替えて視聴することができる。
【００２６】
本発明の第９の態様に係る情報再生方法は、コンテンツを放送または通信により受信するステップと、前記受信したコンテンツと、コンテンツを蓄積する蓄積部の蓄積コンテンツとを前記蓄積コンテンツの再生状況及び前記受信したコンテンツの受信状況の少なくとも一方に基づいて切り替えて再生するステップと、を具備するものである。
【００２７】
本発明の第１０の態様は、第９の態様に係る情報再生方法において、現在の位置情報を検出するステップと、前記現在の位置情報に基づき所定の地域内の位置に関連するコンテンツのアドレスと前記位置との組を少なくとも１つ以上格納したコンテンツリストから受信すべきコンテンツを決定するステップとをさらに具備し、前記決定した現在の位置に関連するコンテンツを受信し、当該コンテンツと前記蓄積コンテンツとを切り替えて再生するものである。
【００２８】
本発明の第１１の態様は、第１０の態様に係る情報再生方法において、現在の位置情報を検出する際、装置本体の移動方向若しくは移動速度を検出し、再生中の前記蓄積部のコンテンツの再生時間から受信するコンテンツの再生時刻を予測し、前記予測した再生時刻における装置本体の移動先の位置に関連するコンテンツを受信すべきコンテンツとして決定するものである。
【００２９】
本発明の第１２の態様は、第１０又は第１１の態様に係る情報再生方法において、利用者の嗜好を示す属性情報を登録するステップをさらに具備し、受信すべきコンテンツを決定する際、前記現在の位置情報及び前記属性情報に基づき前記コンテンツリストから受信すべきコンテンツを決定するものである。
【００３０】
本発明の第１３の態様は、第１２の態様に係る情報再生方法において、前記蓄積部の蓄積コンテンツに含まれる情報の一部を前記属性情報として登録するものである。
【００３１】
本発明の第１４の態様は、第９から第１３のいずれかの態様に係る情報再生方法において、前記受信したコンテンツを受信コンテンツ蓄積部に蓄積するステップをさらに具備し、前記蓄積コンテンツの再生状況、放送または通信によるコンテンツの受信状況、前記受信コンテンツ蓄積部のコンテンツの蓄積状況の少なくとも１つに基づいて前記受信したコンテンツと、前記蓄積コンテンツと、前記受信コンテンツ蓄積部のコンテンツとを切り替えて再生するものである。
【００３２】
本発明の第１５の態様は、第１４の態様に係る情報再生方法において、利用者の操作入力に応じて前記受信コンテンツ蓄積部のコンテンツの保存又は削除を指示するステップをさらに具備するものである。
【００３３】
本発明の第１６の態様は、第１５の態様に係る情報再生方法において、利用者から保存指示があったコンテンツに含まれる情報の一部を前記属性情報として登録するものである。
【００３４】
以下、本発明の実施の形態について、図を用いて説明する。
【００３５】
（実施の形態１）
本発明の実施の形態１に係る端末装置を備えた情報再生システムについて説明する。まず、実施の形態１に係る端末装置を備えた情報再生システムの構成について図１を用いて説明する。図１は、本発明の実施の形態１に係る端末装置を備えた情報再生システムの構成図である。
【００３６】
実施の形態１にかかる情報再生システム１００には、移動端末装置に対して位置に関連するコンテンツ（以下、位置関連コンテンツという）を配信するコンテンツサーバ１０１と、この位置関連コンテンツを受信する端末装置１０２と、を備えている。
【００３７】
端末装置１０２には、蓄積部１０３が設けられている。蓄積部１０３は、蓄積コンテンツを蓄積する。蓄積コンテンツとしては、例えば、デジタル記録された音楽データ、文書データ、画像データ及び映像データが蓄積される。これらの蓄積コンテンツは、予め蓄積しておくだけでなく、別の蓄積媒体からの複製や、通信や放送により受信することで得るようにしてもよい。なお、蓄積部１０３は、端末装置１０２に備え付けられた磁気ディスクや半導体メモリに限られず、音楽データを収録したＣＤやＣＤ−ＲＯＭやＤＶＤなどのメモリで構成するようにしてもよい。以下の説明では、蓄積部１０３をＣＤで構成した場合について説明する。
【００３８】
また、端末装置１０２には位置検出部１０４が設けられている。位置検出部１０４は、端末装置１０２の現在位置を検出する。位置検出部１０４としては、例えばＧＰＳ（Global Positioning System）が用いられる。また、位置検出部１０４は、端末装置１０２の現在位置のほか、移動方向や移動速度を検出する。
【００３９】
また、端末装置１０２には、コンテンツリスト管理部１０５が設けられている。コンテンツリスト管理部１０５は、位置関連コンテンツのリストであるコンテンツリストを管理する。コンテンツリストは、ＣＤ−ＲＯＭやＤＶＤなどのメモリに記録してもよいし、任意の通信手段を用いて外部のサーバから受信し、磁気ディスクや半導体メモリに記憶してもよい。
【００４０】
ここで、コンテンツリストのデータ構造の例について図２を用いて説明する。図２に示すように、コンテンツリストは、位置関連コンテンツのアドレス２０１と位置関連コンテンツに対応する地理的な位置情報２０２との組を複数格納する。図２の例では、コンテンツリストは、位置関連コンテンツ１（コンテンツ１）と位置関連コンテンツ２（コンテンツ２）の２つのコンテンツに関するデータが記述されている。
【００４１】
アドレス２０１は、位置関連コンテンツのＵＲＬである。また、位置情報２０２は、緯度と経度とによって表現されている。なお、アドレス２０１及び位置情報２０２の表現形態はこれに限定されない。
【００４２】
図３は、図２に示されるコンテンツリストをＸＭＬ（eXtensible Markup Language）によって表現した例を示す図である。
【００４３】
位置関連コンテンツに関する情報は、＜ｃｏｎｔｅｎｔ＞と＜／ｃｏｎｔｅｎｔ＞で挟まれた部分に記述されている。具体的には、位置関連コンテンツに関する情報は、＜ｕｒｌ＞と＜／ｕｒｌ＞で挟まれたアドレス２１１と、＜ｌｏｃａｔｉｏｎ＞と＜／ｌｏｃａｔｉｏｎ＞ではさまれた位置情報２１２と、から構成される。
【００４４】
なお、ＸＭＬは、World Wide Web Consortiumによって規格が定められた言語であり、詳細はウェブページｈｔｔｐ：／／ｗｗｗ．ｗ３．ｏｒｇ以下に開示されている。
【００４５】
図１を用いた端末装置１０２の説明に戻る。端末装置１０２には、受信コンテンツ決定部１０６が設けられている。受信コンテンツ決定部１０６は、位置検出部１０４が検出した現在位置の情報に基づき、コンテンツリスト管理部１０５からその現在位置で受信すべき位置関連コンテンツを決定する。
【００４６】
受信すべき位置関連コンテンツは、蓄積コンテンツと同種のものであることが望ましい。すなわち、蓄積コンテンツが音楽データの場合には受信する位置関連コンテンツは音声データ、蓄積コンテンツが映像データの場合には受信する位置関連コンテンツは映像データであることが望ましい。なお、受信すべきコンテンツは、いずれも位置に関連する情報であり、ある位置にある施設や、ある位置で行われるイベントなどに関する広告情報が想定される。
【００４７】
また、端末装置１０２には、コンテンツ受信部１０７が設けられている。コンテンツ受信部１０７は、受信コンテンツ決定部１０６が決定した位置関連コンテンツをコンテンツサーバ１０１から受信する。なお、コンテンツサーバ１０１から位置関連コンテンツを受信する際には、携帯電話や無線ＬＡＮなどの無線通信を用いてもよいし、イーサネット（Ｒ）などの有線通信を用いてもよい。
【００４８】
また、端末装置１０２には、再生制御部１０８が設けられている。再生制御部１０８は、再生部１０９を制御して蓄積部１０３に蓄積された蓄積コンテンツと、コンテンツ受信部１０７が受信した位置関連コンテンツ（以下、「受信コンテンツ」という）とを切り替えて再生する。本実施の形態では、特に蓄積コンテンツと受信コンテンツとを切り替えて再生する具体例として、蓄積コンテンツの合間に受信コンテンツを再生する場合について説明する。なお、受信コンテンツを再生する代わりに、位置関連コンテンツを受信した旨を示す合図を再生部１０９で再生してもよい。
【００４９】
再生部１０９は、再生制御部１０８の制御の下、蓄積コンテンツ及び受信コンテンツを再生する。再生部１０９は、例えば、映像を表示するディスプレイや音声を出力するスピーカーで構成される。
【００５０】
次に、上記構成を有する端末装置１０２において、蓄積コンテンツと受信コンテンツを再生する動作について説明する。ここで、本端末装置１０２の利用者は、蓄積部１０３としてのＣＤに蓄積された音楽データとしての楽曲データを視聴しながら移動しているものとする。なお、ここでは音楽データについて説明するが、これ限定されず、映像データを視聴している場合にも適用可能であることは言うまでもない。
【００５１】
再生制御部１０８は、蓄積部１０３に蓄積された楽曲データを順次取り出し、再生部１０９を通じて再生する。一方、位置検出部１０４は、本端末装置１０２の現在位置を検出し、受信コンテンツ決定部１０６に渡す。受信コンテンツ決定部１０６は、受け取った現在位置の情報に基づき、コンテンツリスト管理部１０５からその現在位置で受信すべき位置関連コンテンツを決定し、その結果をコンテンツ受信部１０７に通知する。
【００５２】
コンテンツ受信部１０７は、この通知を受けてその位置関連コンテンツをコンテンツサーバ１０１から受信する。そして、この受信コンテンツを再生制御部１０８に出力する。再生制御部１０８は、コンテンツ受信部１０７から受信コンテンツを受け取ると蓄積コンテンツの再生の合間にその受信コンテンツを再生部１０９で再生する。
【００５３】
本端末装置１０２における蓄積コンテンツ及び受信コンテンツの再生手順の一例について図４を用いて説明する。図４は、本端末装置１０２における蓄積コンテンツ及び受信コンテンツの再生手順の一例を示す図である。
【００５４】
図４に示す例では、本端末装置１０２は、まず、再生部１０９で蓄積部１０３に蓄積された楽曲データ１（楽曲１）を再生する（ＳＴ４０１）。楽曲１が再生されている間にコンテンツ受信部１０７は、位置検出部１０４が検出した現在位置に基づき受信コンテンツ決定部１０６が決定した位置関連コンテンツを情報１として受信する（ＳＴ４１１）。この情報１は、再生部１０９で楽曲１の再生が終了した後に再生される（ＳＴ４０２）。
【００５５】
情報１の再生が終了すると、続いて蓄積部１０３に蓄積された楽曲データ２（楽曲２）が再生される（ＳＴ４０３）。楽曲２が再生されている間に、情報１を受信したのと同様の要領で情報２が受信される（ＳＴ４１２）。そして、楽曲２の再生が終了すると、この情報２が再生される（ＳＴ４０４）。この情報２の再生が終了した後に、同様に楽曲３が再生される（ＳＴ４０５）。以下、同様にして蓄積コンテンツと受信コンテンツとが交互に再生される。
【００５６】
なお、ここでは、楽曲データの合間に受信コンテンツを１つのみ再生する例について説明している。しかし、これに限定されず、受信コンテンツを複数続けて再生し、あるいは、視聴者の指示に従って再生する等、蓄積コンテンツと受信コンテンツとの再生の切り替えは自由に変更可能である。このように受信コンテンツの再生を任意に変更可能とすることで、よりユーザに利便性の高い端末装置１０２を提供することができる。
【００５７】
また、ここでは、蓄積コンテンツと受信コンテンツとを切り替えて再生する具体例として、蓄積コンテンツの合間に受信コンテンツを再生する場合について説明している。しかし、これとは逆に受信コンテンツを再生し、再生すべき受信コンテンツが存在しなくなった場合に蓄積コンテンツの再生に切り替えて再生する方式もあり得る。この場合には電波状況などコンテンツを受信する環境が悪い場合、あるいは表示すべき位置関連コンテンツが決定できない場合に蓄積コンテンツの再生に切り替えることにより、受信コンテンツが再生できない状況を蓄積コンテンツの再生で補うことが可能となる。
【００５８】
また、上記説明では、受信コンテンツを受信したそのままの形式で再生する場合について説明している。しかし、これに限定されず、受信コンテンツの一部を再生、あるいは、受信コンテンツの存在を示すブザー音や文字情報などを出力するようにしてもよい。このように受信コンテンツの内容を必要に応じて変更可能とすることで、よりユーザに利便性の高い端末装置１０２を提供することができる。
【００５９】
このように本実施の形態の端末装置１０２によれば、再生制御部１０８は、蓄積部１０３に蓄積された蓄積コンテンツと、コンテンツ受信部１０７が受信したコンテンツとを、蓄積コンテンツの再生状況及びコンテンツ受信部１０７によるコンテンツの受信状況の少なくとも一方に基づいて切り替えて再生部１０９で再生する。これにより、利用者は、蓄積コンテンツのみならず、コンテンツ受信部１０７が受信したコンテンツも同時に視聴することができる。この結果、蓄積コンテンツを視聴する合間に、本端末装置１０２が受信したコンテンツをも視聴することができる。
【００６０】
特に、本実施の形態の端末装置１０２によれば、再生制御部１０８は、蓄積部１０３に蓄積された蓄積コンテンツを再生部１０９で再生する一方、その蓄積コンテンツの合間に、本端末装置１０２の現在位置の情報に応じてコンテンツ受信部１０７で受信された受信コンテンツを再生する。これにより、利用者は、自分で選択した蓄積コンテンツを視聴しながら、その蓄積コンテンツの合間に現在位置の周辺地域に関する位置関連コンテンツを視聴することができる。
【００６１】
なお、本実施の形態の端末装置１０２は、ＣＤを始めとする蓄積コンテンツだけでなく、放送されるコンテンツ（以下、「放送コンテンツ」という）にも適用することができる。図５は、放送コンテンツに適用する場合に必要な構成である放送受信部１１０を備えた構成例を示している。
【００６２】
放送受信部１１０は、テレビ放送やラジオ放送を受信し、受信した放送コンテンツを蓄積部１０３に渡す。蓄積部１０３は、これらの放送コンテンツを蓄積コンテンツと同様に蓄積する。再生制御部１０８は、蓄積部１０３に蓄積された蓄積コンテンツと同様の要領で蓄積部１０３からこの放送コンテンツを取り出し、再生部１０９に再生させる。このため、再生制御部１０８は、蓄積部１０３に蓄積された蓄積コンテンツと同様の要領で放送コンテンツを再生部１０９で再生すると共に、その合間に受信コンテンツを再生することができる。
【００６３】
本端末装置１０２における放送コンテンツ及び受信コンテンツの再生手順の一例について図６を用いて説明する。図６は、本端末装置１０２における放送コンテンツ及び受信コンテンツの再生手順の一例を示す図である。
【００６４】
なお、図６においては、上段に放送受信部１１０が受信したコンテンツ、中段に蓄積部１０３が蓄積するコンテンツ及び下段に再生部１０９が再生するコンテンツを示している。また、現在、再生部１０９で再生中のコンテンツはないものとする。さらに、番組ａ、番組ｂ及び番組ｃは３つに区切られた一つの番組であるとし、ＣＭ１、ＣＭ２はそれぞれ番組ａと番組ｂとの間、番組ｂと番組ｃとの間に放送されるＣＭであるとする。
【００６５】
図６に示すように、放送受信部１１０で番組ａを受信すると（ＳＴ６０１）、蓄積部１０３にこの番組ａが蓄積される（ＳＴ６０２）。再生制御部１０８は、再生部１０９で再生中のコンテンツがないため、再生部１０９にこの番組ａを再生するように指示する。この指示に応じて、再生部１０９では、番組ａを再生する（ＳＴ６０３）。
【００６６】
番組ａに続いて放送受信部１１０でＣＭ１を受信すると（ＳＴ６０４）、蓄積部１０３にこのＣＭ１が蓄積される（ＳＴ６０５）。再生制御部１０８は、蓄積部１０３に蓄積されているコンテンツがＣＭであることを検出すると、ＣＭ１の代わりにコンテンツ受信部１０７で予め受信した受信したコンテンツ（受信コンテンツ１）を再生するように指示する。この指示を受けて、再生部１０９は、受信コンテンツ１を再生する（ＳＴ６０６）。
【００６７】
ＣＭ１に続いて放送受信部１１０で番組ｂを受信すると（ＳＴ６０７）、番組ａと同様に番組ｂも蓄積部１０３に蓄積される（ＳＴ６０８）。しかし、番組ｂの蓄積を開始した時点では、再生部１０９は、同図に示すように、受信コンテンツ１を再生中である。このため、再生制御部１０８は、受信コンテンツ１の再生が終わり次第、蓄積部１０３に蓄積された番組ｂの再生を指示する。この指示に応じて再生部１０９は、受信コンテンツ１の再生終了後に番組ｂの再生を行う（ＳＴ６０９）。
【００６８】
番組ｂに続いて放送受信部１１０でＣＭ２を受信すると（ＳＴ６１０）、ＣＭ１と同様にＣＭ２も蓄積部１０３に蓄積される（ＳＴ６１１）。再生制御部１０８は、蓄積部１０３に蓄積されているコンテンツがＣＭであることを検出すると、ＣＭ１の場合と同様に、ＣＭ２の代わりにコンテンツ受信部１０７で予め受信した受信コンテンツ（受信コンテンツ２）を再生するように指示する。
【００６９】
しかし、ＣＭ２の蓄積を開始した時点では、再生部１０９は、同図に示すように、番組ｂを再生中である。このため、再生制御部１０８は、番組ｂの再生が終わり次第、受信コンテンツ２を再生するように指示する。この指示に応じて再生部１０９は、番組ｂの再生終了後に受信コンテンツ２の再生を行う（ＳＴ６１２）。
【００７０】
ＣＭ２に続いて放送受信部１１０で番組ｃを受信すると（ＳＴ６１３）、番組ａ、ｂと同様に番組ｃも蓄積部１０３に蓄積される（ＳＴ６１４）。しかし、番組ｃの蓄積を開始した時点では、再生部１０９は、同図に示すように、受信コンテンツ２を再生中である。このため、再生制御部１０８は、受信コンテンツ２の再生が終わり次第、蓄積部１０３に蓄積された番組ｃの再生を指示する。この指示に応じて再生部１０９は、受信コンテンツ２の再生終了後に番組ｃの再生を行う（ＳＴ６１５）。
【００７１】
このように本端末装置１０２を放送コンテンツの再生に適用すれば、放送コンテンツ（番組）の合間のＣＭよりも受信コンテンツ１の再生時間が長い場合であっても、ＣＭの後に放送された放送コンテンツ（番組）を蓄積部１０３に蓄積しておき、再生部１０９は、この蓄積された放送コンテンツ（番組）を取り出して再生する。これにより、放送コンテンツの合間に端末装置１０２の現在位置の情報に基づくコンテンツを再生した場合でも、放送コンテンツを視聴し損なうことはない。したがって、利用者は、自分で選択した放送コンテンツを視聴しながら、現在位置の周辺地域に関する位置関連コンテンツを視聴することができる。
【００７２】
また、本実施の形態の端末装置１０２においては、受信コンテンツ決定部１０６は、位置検出部１０４が検出した本端末装置１０２の現在位置の情報に基づいて受信コンテンツを決定する場合について示している。しかし、受信コンテンツ決定部１０６が受信コンテンツを決定する際、その受信コンテンツが再生されるであろう時刻（以下、「再生時刻」という）を予測することは実施の形態として望ましい。
【００７３】
具体的には、本端末装置１０２の移動方向や移動速度及び現在再生している蓄積コンテンツの再生に要する時間（以下、「再生時間」という）を考慮することで、その受信コンテンツの再生時刻を予測することができる。以下、このように受信コンテンツの再生時刻を予測する場合における受信コンテンツ決定部１０６の動作について説明する。図７は、この場合における受信コンテンツ決定部１０６の動作を説明するためのフロー図である。
【００７４】
受信コンテンツの再生時刻を予測する場合、再生制御部１０８から再生中の蓄積コンテンツの再生時間がコンテンツ受信部１０７に通知される。受信コンテンツ決定部１０６は、この蓄積コンテンツの再生時間をコンテンツ受信部１０７から取得する（ＳＴ７０１）。
【００７５】
蓄積コンテンツの再生時間を取得すると、受信コンテンツ決定部１０６は、この再生時間に応じて受信コンテンツの再生時刻を予測する（ＳＴ７０２）。
【００７６】
一方、受信コンテンツ決定部１０６は、位置検出部１０４が検出した本端末装置１０２の現在位置、移動方向及び移動速度に関する情報を取得する（ＳＴ７０３）。
【００７７】
これらの情報を取得すると、受信コンテンツ決定部１０６は、これらの情報からＳＴ７０２で予測した受信コンテンツの再生時刻に本端末装置１０２が移動する先の位置を予測する（ＳＴ７０４）。
【００７８】
移動先の位置を予測した後、受信コンテンツ決定部１０６は、その移動先の位置における位置関連コンテンツを、コンテンツリスト管理部１０５のコンテンツリストから選択する（ＳＴ７０５）。
【００７９】
そして、この選択した位置関連コンテンツに関する情報をコンテンツ受信部１０７に出力する（ＳＴ７０６）。出力された情報を受けて、コンテンツ受信部１０７は、選択された位置関連コンテンツをコンテンツサーバ１０１から受信し、再生制御部１０８に出力する。
【００８０】
このように受信コンテンツ決定部１０６が受信コンテンツを決定する際、その受信コンテンツの再生時刻を予測することにより、本端末装置１０２が移動している場合であっても、利用者は、その移動先の位置に関する位置関連コンテンツを蓄積コンテンツの合間に適切に視聴することができる。
【００８１】
（実施の形態２）
実施の形態１に係る端末装置１０２においては、位置検出部１０４が検出した本端末装置１０２の位置に関する情報に応じて受信コンテンツを決定するのに対し、実施の形態２に係る端末装置８０１は、装置本体の位置に関する情報のみならず、利用者の嗜好を示すキーワード等を属性情報とし、その属性情報に応じて受信コンテンツを決定する点で相違する。
【００８２】
図８は、実施の形態２に係る端末装置８０１を備えた情報再生システムの構成図である。図８に示すように、実施の形態２に係る端末装置８０１は、属性出力部８０２を備える点において実施の形態１に係る端末装置１０２と相違する。なお、図８において、図１と同一の構成については、同一の符号を付してその説明を省略する。
【００８３】
属性出力部８０２は、「レストラン」や「スポーツ」など利用者の嗜好を示すキーワードや利用者が必要とするキーワードなどから構成される属性情報を受信コンテンツ決定部１０６に出力する。これらのキーワードは、予め利用者において登録しておくことが考えられる。なお、本端末装置８０１が備える機能（例えば、スケジュール管理機能）から抽出して属性情報を登録するようにしてもよい。
【００８４】
実施の形態２に係る端末装置８０１のコンテンツリスト管理部１０５が管理するコンテンツリストには、図２に示すアドレス情報及び位置情報に対応してそのコンテンツの内容を示唆するキーワードが登録されている。
【００８５】
図９は、実施の形態２に係る端末装置８０１のコンテンツリスト管理部１０５が管理するコンテンツリストのデータ構造の一例を示している。なお、図９において、図２と同一の構成については、同一の符号を付してその説明を省略する。同図に示すように、コンテンツ１には、そのアドレス情報及び位置情報に対応して、「イタリアン・レストラン」というキーワード９０１が登録されている。同様に、コンテンツ２には、「スポーツ用品」というキーワードが登録されている。
【００８６】
受信コンテンツ決定部１０６は、位置検出部１０４からの位置情報及び属性出力部８０２からの属性情報に基づいて、コンテンツリスト管理部１０５が管理するコンテンツリストから受信すべき位置関連コンテンツを決定する。例えば、位置情報が適切に選択されていることを前提とし、属性情報が利用者の嗜好を示すキーワードである場合であって、そのキーワードが「レストラン」であった場合には、図９に示したコンテンツ１が受信すべき位置関連コンテンツに決定される。
【００８７】
なお、属性情報としては、蓄積コンテンツが有するキーワード等を属性情報として受信コンテンツ決定部１０６に出力するようにしてもよい。蓄積コンテンツが有する属性情報としては、ＣＤに記録されている楽曲の歌詞などのテキスト情報や、ＤＶＤに記録されている映像のチャプター情報が考えられる。例えば、再生中の楽曲が「花」に関する楽曲であった場合、テキスト情報の歌詞から「花」というキーワードを切り出し、花屋などの花に関する位置関連コンテンツを受信することが考えられる。
【００８８】
このように実施の形態２の端末装置８０１によれば、位置検出部１０４が検出した位置情報のみならず、利用者の嗜好を示すキーワード等の属性情報をも考慮して受信すべき位置関連コンテンツが決定される。これにより、利用者は、自分で選択した蓄積コンテンツを視聴しながら、その蓄積コンテンツの間に現在位置の位置関連コンテンツの中から自分の嗜好に合った位置関連コンテンツを視聴することができる。
【００８９】
なお、受信コンテンツ決定部１０６は属性出力部８０２からの属性情報のみに基づいて受信すべきコンテンツを決定してもよい。この場合、位置に関連しない、利用者の嗜好のみに基づくコンテンツの視聴が可能となる。
【００９０】
（実施の形態３）
実施の形態２に係る端末装置８０１においては、端末装置８０１の位置情報と共に、利用者の嗜好を示すキーワード等の属性情報に基づいて受信すべき位置関連コンテンツを決定して再生する。実施の形態３に係る端末装置１００１においては、さらに再生された位置関連コンテンツが必要か否かを利用者が選択できるようにしたものである。
【００９１】
図１０は、実施の形態３に係る端末装置１００１を備えた情報再生システムの構成図である。図１０に示すように、実施の形態３に係る端末装置１００１は、受信コンテンツ蓄積部１００２、保存指示部１００３及び操作入力部１００４を備える点において実施の形態２に係る端末装置８０１と相違する。なお、図１０において、図８と同一の構成については、同一の符号を付してその説明を省略する。
【００９２】
受信コンテンツ蓄積部１００２は、コンテンツ受信部１０７が受信し、再生部１０９で再生された受信コンテンツが蓄積される。再生された受信コンテンツは、一旦受信コンテンツ蓄積部１００２に蓄積され、後述する保存指示部１００３からの指示に応じて保存又は削除される。
【００９３】
受信コンテンツ蓄積部１００２への受信コンテンツの蓄積は、保存指示部１００３からの指示に応じて決定される。保存指示部１００３から保存指示が入力された場合には再生された受信コンテンツは、受信コンテンツ蓄積部１００２に蓄積される。一方、保存指示が入力されない場合には、再生された受信コンテンツは、受信コンテンツ蓄積部１００２に蓄積されず、削除される。
【００９４】
図１１は、受信コンテンツ蓄積部１００２に蓄積された受信コンテンツの一例を示している。同図に示すように、受信コンテンツ蓄積部１００２には、受信コンテンツ毎に、その受信した日時１１０１、その種類１１０２、その内容を示唆するキーワード１１０３及びその実体データ１１０４が管理されている。
【００９５】
受信コンテンツ蓄積部１００２に蓄積された受信コンテンツは、再生制御部１０８の制御の下、再生部１０９で再度、再生される。再生制御部１０８は、例えば、利用者の指示を受けて蓄積された受信コンテンツを再生する。なお、利用者が受信コンテンツ蓄積部１００２内の受信コンテンツを選択する際、再生部１０９で受信コンテンツ蓄積部１００２内の受信コンテンツの一覧を表示することは実施の形態として望ましい。利用者は、後述する操作入力部１００４で受信コンテンツ蓄積部１００２内の受信コンテンツを選択する。
【００９６】
保存指示部１００３から受信コンテンツ蓄積部１００２に保存指示が入力された場合には、再生された受信コンテンツに利用者が興味を持ったと判断することができる。このため、実施の形態３に係る端末装置１００１においては、再生された受信コンテンツに含まれるキーワード等が属性出力部８０２に渡される。このとき、保存指示部１００３は、受信コンテンツ蓄積部１００２に蓄積された受信コンテンツに対応するキーワード（図１１に示すキーワード１１０３）を属性出力部８０２に渡す。このキーワード等は、受信コンテンツを決定する際に属性情報として利用される。
【００９７】
保存指示部１００３から受信コンテンツ蓄積部１００２に出力される指示は、操作入力部１００４に対する利用者の操作入力に応じて出力される。すなわち、利用者は、操作入力部１００４を通じて再生された受信コンテンツが必要か否かを指示することができる。
【００９８】
本端末装置１００１において、蓄積コンテンツの合間に再生された受信コンテンツを保存又は削除する処理手順の一例について図１２を用いて説明する。図１２は、本端末装置１００１において、蓄積コンテンツの合間に再生された受信コンテンツを保存又は削除する処理手順の一例を示す図である。
【００９９】
図１２に示す例では、本端末装置１００１は、まず、再生部１０９で蓄積部１０３に蓄積された楽曲データ１（楽曲１）を再生する（ＳＴ１２０１）。楽曲１が再生されている間にコンテンツ受信部１０７は、位置検出部１０４が検出した現在位置及び利用者の嗜好を示すキーワード等の属性情報に基づき受信コンテンツ決定部１０６が決定した位置関連コンテンツを情報１として受信している。そして、この情報１が、再生部１０９で楽曲１の再生が終了した後に再生される（ＳＴ１２０２）。
【０１００】
利用者がこの情報１に関心を示した場合には、情報１が再生されている間、あるいは、再生の直後に、利用者は、操作入力部１００４を通じて保存指示部１００３から保存指示を受信コンテンツ蓄積部１００２に出力することができる。これにより、情報１は、受信コンテンツ蓄積部１００２に保存される。しかし、図１２に示す例では、利用者からの操作入力がない場合について示している。すなわち、利用者は、この情報１に関心を示さなかった場合である。この場合、情報１は、利用者にとって不要な情報と判断され、任意の時間が経過した後に削除される（ＳＴ１２０３）。
【０１０１】
一方、情報１の再生が終了した後、続いて蓄積部１０３に蓄積された楽曲データ２（楽曲２）が再生される（ＳＴ１２０４）。楽曲２が再生されている間に、情報１を受信したのと同様の要領で情報２が受信される。そして、楽曲２の再生が終了した後、この情報２が再生される（ＳＴ１２０５）。
【０１０２】
図１２に示す例では、情報２は、利用者にとって関心のある情報であるものとしている。このため、利用者は、情報２が再生されている間、あるいは、再生の直後に操作入力部１００４を通じて保存指示を受信コンテンツ蓄積部１００２に出力している（ＳＴ１２０６）。この場合、情報２は、利用者にとって必要な情報と判断され、受信コンテンツ蓄積部１００２に保存される（ＳＴ１２０７）。
【０１０３】
なお、操作入力部１００４に対する利用者の操作は、簡単な操作であることが望ましい。例えば、専用のボタンを設け、そのボタンを押すだけで保存指示がされることが望ましい。
【０１０４】
ここで、保存した位置関連コンテンツの利用形態について説明する。ここでは、位置関連コンテンツが文書情報と音声情報とが組み合わされた情報であるものとする。文書情報は、例えば、ＨＴＭＬで記述された文書のほか、ＪＰＥＧフォーマットやＰＮＧフォーマットでの静止画像である。文書情報の例としては、商店の商品情報などの広告が考えられる。その広告には、商店に提示することにより割引などの特典を受けることのできるクーポン情報、点数に応じて割引額が決まるポイント情報又は点数に応じて物品やサービスの購入ができる電子マネーを含ませることも考えられる。一方、音声情報の例としては、商店の音声による広告が考えられる。
【０１０５】
図１２に示す例では、蓄積コンテンツとしての楽曲データが再生されているので、情報１や情報２としては、文書情報及び音声情報のうち音声情報のみが再生されているものとする。利用者は、蓄積コンテンツ（楽曲データ）を再生している間に再生された情報２の音声情報に関心を示し、保存指示を入力している。
【０１０６】
このとき、受信コンテンツ蓄積部１００２には音声情報と共に文書情報も蓄積される。これにより、利用者は、保存しておいた情報２の音声情報を参照することで、その音声情報と共に文書情報をも再生することができる。この結果、利用者は、関心のある商店についての詳細な広告情報や特典が受けられるクーポン情報などを再生部１０９で再生することができる。
【０１０７】
ここで、特典が受けられるクーポン情報の利用形態について説明する。この場合、利用者は、再生部１０９でこのクーポン情報を表示した状態で商店の管理者に提示することが考えられる。これにより、利用者は、クーポン情報が示す割引き等の特典を受けることができる。しかし、これに限定されず、クーポン情報を提示する手法であれば、どのような手法を用いてもよい。例えば、本端末装置１００１から無線通信等により外部のプリンタ等にクーポン情報を出力し、出力したクーポン情報を提示することも考えられる。
【０１０８】
このように本実施の形態の端末装置１００１によれば、蓄積コンテンツの間に再生された受信コンテンツの中から必要な情報のみを保存しておくことができる。そして、保存しておいた受信コンテンツについては、例えば、蓄積コンテンツの再生を終えた後に参照することで、蓄積コンテンツを視聴しながらも、利用者の嗜好に適合した情報であって本端末装置１００１の現在位置に関する有用な情報を入手することができ、その情報の詳細や特典などを受けることができる。
【０１０９】
（実施の形態４）
実施の形態１〜３に係る端末装置においては、コンテンツ受信部１０７がコンテンツサーバ１０１から装置本体の位置に関連するコンテンツを受信するのに対し、実施の形態４に係る端末装置１３０１は、コンテンツ放送サーバ１３０２から放送される放送コンテンツを受信する点で相違する。
【０１１０】
図１３は、実施の形態４に係る端末装置１３０１を備えた情報再生システムの構成図である。図１３に示すように、実施の形態４に係る端末装置１３０１は、蓄積部１０３、再生部１０９に加え、コンテンツ受信部１３０３及び再生制御部１３０４を備える点において実施の形態１〜３に係る端末装置と相違する。なお、図１３において、図１と同一の構成については、同一の符号を付してその説明を省略する。
【０１１１】
コンテンツ受信部１３０３は、コンテンツ放送サーバ１３０２から放送コンテンツを受信する。なお、放送媒体は電波のほか、赤外線などの無線伝送媒体、または有線伝送媒体である。また、放送手段としては、ＴＶ放送やラジオ放送などの放送波を用いてもよいし、インターネットプロトコルを用いたブロードキャストやマルチキャストを用いてもよい。
【０１１２】
再生制御部１３０４は、コンテンツ受信部１３０３が受信した放送コンテンツと、蓄積部１０３に蓄積された蓄積コンテンツとを切り替えて再生する。より具体的には、コンテンツ受信部１３０３が放送コンテンツを受信できる場合には当該放送コンテンツを再生する一方、受信できない場合には蓄積部１０３が蓄積する蓄積コンテンツを再生する。
【０１１３】
コンテンツ受信部１３０３が放送コンテンツを受信できるかどうかの判断としては、例えば、放送コンテンツを受信中に第１の設定時間以上、電波強度、ビットエラー率などの回線品質が第１の設定値を下回った場合を「受信できなくなった」と判断し、放送コンテンツが受信できない状態のときに第２の設定時間以上回線品質が第２の設定値を上回った場合を「受信できるようになった」と判断する、などが考えられる。第１及び第２の設定時間、第１及び第２の設定値はそれぞれ、等しくても異なっていてもよい。第１及び第２の設定時間を例えば数秒程度以上に設定することにより、一瞬電波が途切れたなどの状況で短時間のうちに再生の切り替えが頻繁に発生することを防ぐことができる。
【０１１４】
このように本実施の形態の端末装置１３０１によれば、再生制御部１３０４は、コンテンツ受信部１３０３が放送コンテンツを受信できる場合には当該放送コンテンツを再生部１０９で再生する一方、受信できない場合には蓄積部１０３が蓄積する蓄積コンテンツを再生する。このため、コンテンツ放送サーバ１３０２から受信した放送コンテンツを再生している場合において、放送コンテンツを受信できない事態を発生した場合においても、蓄積コンテンツをその代替コンテンツとして再生することができる。この結果、コンテンツの再生が中断される事態を確実に回避することができる。
【０１１５】
（実施の形態５）
実施の形態４に係る端末装置１３０１においては、コンテンツ放送サーバ１３０２から放送された放送コンテンツを無差別に受信するのに対し、実施の形態５に係る端末装置１４０１は、コンテンツ放送サーバ１３０２から放送される放送コンテンツを選択することができる点で相違する。
【０１１６】
図１４は、実施の形態５に係る端末装置１４０１を備えた情報再生システムの構成図である。図１４に示すように、実施の形態５に係る端末装置１４０１は、位置検出部１０４、属性出力部８０２、受信コンテンツ決定部１４０２、コンテンツリスト管理部１４０３及び受信コンテンツ蓄積部１４０４を備える点で実施の形態４に係る端末装置１３０１と相違する。なお、図１４において、図１、図８及び図１３と同一の構成については、同一の符号を付してその説明を省略する。
【０１１７】
受信コンテンツ決定部１４０２は、位置検出部１０４及び属性出力部８０２の少なくとも一方から、装置本体の現在の位置情報及び利用者の属性情報の少なくとも一方を取得する。そして、コンテンツリスト管理部１４０３で管理されるコンテンツリストに基づきコンテンツ受信部１３０３で受信する放送コンテンツを選択する。
【０１１８】
なお、コンテンツリスト管理部１４０３が管理するコンテンツリストにおいては、例えば、放送コンテンツが放送されるチャンネル情報及び時刻情報など受信する放送コンテンツが特定できる情報が登録されている。
【０１１９】
受信コンテンツ蓄積部１４０４には、コンテンツ受信部１３０３が受信した放送コンテンツが必要に応じて蓄積される。受信コンテンツ蓄積部１４０４への放送コンテンツの蓄積は、再生制御部１３０４により制御される。再生制御部１３０４は、コンテンツ受信部１３０３が受信した放送コンテンツをそのまま再生部１０９で再生する一方、受信コンテンツ蓄積部１４０４に一旦蓄積した後、その放送コンテンツを再生部１０９で再生する。
【０１２０】
以下、本実施の形態に係る端末装置１４０１において、再生制御部１３０４が再生部１０９に再生させる各種コンテンツの具体例について説明する。例えば、再生制御部１３０４は、コンテンツ受信部１３０３で放送コンテンツを受信している場合には受信した放送コンテンツを再生させ、コンテンツ受信部１３０３で放送コンテンツを受信できない場合には受信コンテンツ蓄積部１４０４に蓄積された放送コンテンツを再生させ、いずれも再生できない場合には蓄積部１０３に蓄積された蓄積コンテンツを再生させることが考えられる。このようにコンテンツの再生を制御した場合には、放送コンテンツを受信できない場合においても、受信コンテンツ蓄積部１４０４に蓄積された放送コンテンツ又は蓄積部１０３に蓄積された蓄積コンテンツを再生することによってコンテンツの再生の中断を回避することができる。
【０１２１】
また、再生制御部１３０４は、蓄積部１０３に蓄積された蓄積コンテンツを再生させ、その合間に受信コンテンツ蓄積部１４０４に蓄積された放送コンテンツを再生させることが考えられる。このようにコンテンツの再生を制御した場合には、音楽コンテンツの曲の終わりや映像コンテンツのチャプターの終わりなどを検出してその合間に蓄積済みの放送コンテンツを再生することができる。これにより、利用者は蓄積コンテンツを視聴しながら位置や属性に応じた最新の放送コンテンツを視聴することができる。
【０１２２】
このように本実施の形態の端末装置１４０１によれば、再生制御部１３０４が、コンテンツ受信部１３０３で受信している放送コンテンツ、受信コンテンツ蓄積部１４０４に蓄積された放送コンテンツ、あるいは蓄積部１０３に蓄積された蓄積コンテンツを任意に選択して再生部１０９に再生させることができる。このため、現在、再生しているコンテンツの受信状況や蓄積状況に応じて再生するコンテンツを切り替えることができる。この結果、コンテンツの再生が中断される事態を確実に回避することができる。
【産業上の利用可能性】
【０１２３】
本発明にかかる端末装置及び情報再生方法は、放送や通信で受信するコンテンツと蓄積媒体に蓄積された蓄積コンテンツとを、放送や通信の受信状況に応じて切り替えて再生することができ、たとえば移動端末や情報再生装置等に適している。
【図面の簡単な説明】
【０１２４】
【図１】本発明の実施の形態１に係る端末装置を備えた情報再生システムの構成図
【図２】コンテンツリストのデータ構造の例を示す図
【図３】図２に示されるコンテンツリストをＸＭＬによって表現した例を示す図
【図４】実施の形態１に係る端末装置における蓄積コンテンツ及び受信したコンテンツの再生手順の一例を示す図
【図５】実施の形態１に係る端末装置の変形例を備えた情報再生システムの構成図
【図６】実施の形態１に係る端末装置における放送コンテンツ及び受信したコンテンツの再生手順の一例を示す図
【図７】実施の形態１に係る端末装置において、受信コンテンツが再生されるであろう時刻を予測する場合の受信コンテンツ決定部の動作を説明するためのフロー図
【図８】本発明の実施の形態２に係る端末装置を備えた情報再生システムの構成図
【図９】実施の形態２に係る端末装置のコンテンツリスト管理部が管理するコンテンツリストのデータ構造の一例を示す図
【図１０】本発明の実施の形態３に係る端末装置を備えた情報再生システムの構成図
【図１１】実施の形態３に係る端末装置の受信コンテンツ蓄積部に蓄積された受信コンテンツの一例を示す図
【図１２】実施の形態３に係る端末装置において、蓄積コンテンツの合間に再生された位置関連コンテンツを保存又は削除する処理手順の一例を示す図
【図１３】本発明の実施の形態４に係る端末装置を備えた情報再生システムの構成図
【図１４】本発明の実施の形態５に係る端末装置を備えた情報再生システムの構成図
【符号の説明】
【０１２５】
１０１  コンテンツサーバ
１０２，８０１，１００１、１３０１，１４０１  端末装置
１０３  蓄積部
１０４  位置検出部
１０５  コンテンツリスト管理部
１０６  受信コンテンツ決定部
１０７  コンテンツ受信部
１０８  再生制御部
１０９  再生部
１１０  放送受信部
８０２  属性出力部
１００２  受信コンテンツ蓄積部
１００３  保存指示部
１００４  操作入力部
１３０２  コンテンツ放送サーバ
１３０３  コンテンツ受信部
１３０４  再生制御部
１４０２  受信コンテンツ決定部
１４０３  コンテンツリスト管理部
１４０４  受信コンテンツ蓄積部
【図１】
2004194302.tif 000003
【図２】
2004194302.tif 000004
【図３】
2004194302.tif 000005
【図４】
2004194302.tif 000006
【図５】
2004194302.tif 000007
【図６】
2004194302.tif 000008
【図７】
2004194302.tif 000009
【図８】
2004194302.tif 000010
【図９】
2004194302.tif 000011
【図１０】
2004194302.tif 000012
【図１１】
2004194302.tif 000013
【図１２】
2004194302.tif 000014
【図１３】
2004194302.tif 000015
【図１４】
2004194302.tif 000016